(57)【要約】本発明の実施形態による照明装置は、穴を有する上面と収納溝を含む放熱体；前記放熱体上に配置された基板、前記基板上に配置された発光素子及び前記基板上に配置されたパッドを有する光源モジュール；前記放熱体の収納溝に配置され、前記光源モジュールの駆動のための電源信号が出力される突出部を有する電源提供部；及び前記放熱体の穴と結合して、前記光源モジュールのパッドと電気的に連結される接触部を含み、前記電源提供部の突出部と電気的に連結されるコネクター；を含む。【選択図】図1
2014523086.tif 000002
【特許請求の範囲】
【請求項１】
穴を有する上面と収納溝を含む放熱体；
前記放熱体上に配置された基板、前記基板上に配置された発光素子及び前記基板上に配置されたパッドを有する光源モジュール；
前記放熱体の収納溝に配置され、前記光源モジュールの駆動のための電源信号が出力される突出部を有する電源提供部；及び
前記放熱体の穴と結合し、前記光源モジュールのパッドと電気的に連結される接触部を含んで、前記電源提供部の突出部と電気的に連結されるコネクタ；
を含む、照明装置
【請求項２】
前記コネクタは、前記電源提供部の突出部が結合する溝と、前記溝に配置されて前記接触部と電気的に連結された連結部を有し、
前記電源提供部の突出部は、前記電源信号が出力されて前記連結部と連結される電極板を有する、請求項１に記載の照明装置。
【請求項３】
前記光源モジュールは、
第１基板、第１発光素子及び第１及び第２パッドを含む第１光源部；
第２基板、第２発光素子及び第３及び第４パッドを含む第２光源部；
前記第１光源部の第１パッドと前記第２光源部の第３パッドを電気的に連結する連結プレート；及び
第１電源信号の提供を受けて前記第１光源部の第２パッドに電気的に連結される第１接触部と、第２電源信号の提供を受けて前記第２光源部の第４パッドに電気的に連結される第２接触部を有するコネクタ；
を含む、請求項１に記載の照明装置。
【請求項４】
前記連結プレートは、中間部と前記第１光源部の第１パッドと電気的に接触する第１接触部及び前記第２光源部の第３パッドと電気的に接触する第２接触部とを含む、請求項３に記載の照明装置。
【請求項５】
前記コネクターは、
前記第１接触部と前記第２接触部を有する第１連結部材；及び
前記第１接触部と電気的に連結された第１連結部と前記第２接触部と電気的に連結された第２連結部を有し、前記第１連結部材の一側に延びた第２連結部材；
を含む、請求項３に記載の照明装置。
【請求項６】
前記光源モジュール上に配置され、前記放熱体と結合するカバー；をさらに含み、
前記放熱体は、前記上面の外周に連結されたガイド部をさらに含み、
前記カバーはフックを有し、前記放熱体のガイド部は前記フックと結合する係止片を有し、
前記カバーは基準部材を有し、前記放熱体の上面は前記基準部材が結合する基準溝を有する、請求項１に記載の照明装置。
【請求項７】
前記カバーは、前記フックが一部分に配置される連結部材をさらに含む、請求項６に記載の照明装置。
【請求項８】
前記連結部材は、前記カバーの端に複数で配置され、前記複数の連結部材は互いに離隔するように配置された、請求項７に記載の照明装置。
【請求項９】
前記光源モジュール上に配置され、前記放熱体と結合するカバー；及び
前記放熱体上に配置され、前記光源モジュールと前記コネクターが配置されるガイド溝を有する部材；をさらに含み、
前記部材は、前記カバーの内面から入射される光を前記カバーで反射する、請求項１に記載の照明装置。
【請求項１０】
前記放熱体は、第１放熱フィンと第２放熱フィンを含み、
前記第１放熱フィンの体積は、前記第２放熱フィンの体積より大きい、請求項１に記載の照明装置。
【請求項１１】
前記第１放熱フィンと前記第２放熱フィンは、交互に複数で配置された、請求項１０に記載の照明装置。
【請求項１２】
前記第１放熱フィンと前記第２放熱フィンとの間の間隔は、１ｍｍ以上３ｍｍ以下である、請求項１１に記載の照明装置。
【請求項１３】
前記放熱体の収納溝に配置され、前記電源提供部とモールディング材を有するモールディング部が配置される内部ケース；をさらに含み、
前記内部ケースは、前記モールディング材が注入される開口と前記開口を塞ぐパッキングとを含み、
前記電源提供部は、前記内部ケースの開口を介してソケットと電気的に連結される電線を有し、
前記パッキングは、前記電線が配置されるギャップを有する、請求項１に記載の照明装置。
【請求項１４】
前記ギャップは、前記パッキングの外周から前記パッキングの内部方向に掘られるか又は広げられて形成され、
前記ギャップは、前記パッキングが前記内部ケースの開口に結合すれば、前記電線を固定する、請求項１３に記載の照明装置。
【請求項１５】
前記電源提供部を収納し、前記放熱体の収納溝に配置される内部ケース；及び
前記内部ケースと結合して、ねじ溝を有するソケット；を含み、
前記内部ケースは、前記ソケットのねじ溝と対応するねじ山を有し、
前記ねじ山は、前記電源提供部と前記ソケットを電気的に連結する第１電線が配置される複数の溝を有し、
前記複数の溝は、一列で隣接するように配列された、請求項１に記載の照明装置。
【請求項１６】
前記電源提供部を収納し、前記放熱体の収納溝に配置される内部ケースと、
前記内部ケースと結合するソケット；を含み、
前記内部ケースは、前記ソケットとの結合方向に突出した突出部を有し、
前記内部ケースは、前記ソケットと結合し、一側に開口された開口と前記開口を塞ぐパッキングとを有し、
前記内部ケースの突出部は、前記パッキングの周囲に配置された、請求項１に記載の照明装置。
【請求項１７】
前記電源提供部を収納し、前記放熱体の収納溝に配置される内部ケースと、
前記内部ケースとともに前記電源提供部をカバーするホルダー；をさらに含み、
前記電源提供部は、前記突出部と連結されたガイド部を含み、
前記ホルダーは、前記電源提供部の突出部が配置される溝と前記電源提供部のガイド部が結合するガイド溝とを有する、請求項１に記載の照明装置。
【請求項１８】
上面と収納溝を有する放熱体；
前記放熱体の収納溝に配置され、電極板を有する突出部を含む電源提供部；
前記放熱体の上に配置された光源モジュール；及び
前記光源モジュールと電気的に連結される第１連結部材と、前記電源提供部と電気的に連結される第２連結部材とを含むコネクター；を含み、
前記第２連結部材は、前記電源提供部の突出部が結合する溝と、前記電極板と電気的に連結される連結部とを有する、照明装置。
【請求項１９】
前記連結部と前記電極板が接触すると、前記連結部は前記第２連結部材によって内側に押されて入り、
前記連結部と前記電極板が分離すると、前記連結部は前記第２連結部材の溝に突出する、請求項１８に記載の照明装置。
【請求項２０】
前記放熱体上に配置され、前記光源モジュールと前記コネクタが配置されるガイド溝を有し、電気絶縁性を有する部材；をさらに含み、
前記光源モジュールは、複数の光源部と、前記光源部を連結するための連結プレートをさらに含み、
前記連結プレートは、前記部材上に配置された、請求項１６に記載の照明装置。
【発明の詳細な説明】
【技術分野】
【０００１】
実施形態は、照明装置に関する。
【背景技術】
【０００２】
発光ダイオード（ＬＥＤ）は、電気エネルギーを光に変換する半導体素子の一種である。発光ダイオードは、蛍光灯、白熱灯などの従来の光源に比べて、低消費電力、半永久的な寿命、素早い応答速度、安全性、環境にやさしいという長所を有する。よって、従来の光源を発光ダイオードに代替するための多くの研究が進められており、発光ダイオードは、室内外で用いられる各種ランプ、液晶表示装置、電光板、街灯などの照明装置の光源として使用が増加する傾向にある。
【発明の概要】
【発明が解決しようとする課題】
【０００３】
実施形態は、カバーと放熱体の結合位置を確認できる照明装置を提供することにある。
【０００４】
また、実施形態は、カバーの回転を防ぐことができる照明装置を提供することにある。
【０００５】
また、実施形態は、光効率を向上させることができる照明装置を提供することにある。
【０００６】
また、実施形態は、複数の光源部間の電気的連結の際に、電線（ｗｉｒｅ）が必要ない光源モジュール及び照明装置を提供することにある。
【０００７】
また、実施形態は、放熱効率を向上させることができる照明装置を提供することにある。
【０００８】
また、実施形態は、作業工程上の長所がある照明装置を提供することにある。
【０００９】
また、実施形態は、電源提供部と光源部との間に電線（ｗｉｒｅ）を使用しない照明装置を提供することにある。
【００１０】
また、実施形態は、組み立てが容易な照明装置を提供することにある。
【００１１】
また、実施形態は、電源提供部を安定的に固定させることができる照明装置を提供することにある。
【００１２】
また、実施形態は、電源提供部をモールディングするモールディング液体が流れ出るのを防ぐことができる照明装置を提供することにある。
【００１３】
また、実施形態は、電源提供部とソケットを連結する電線の損傷を防止することができる照明装置を提供することにある。
【００１４】
また、実施形態は、電源提供部とソケットを連結する電線の移動を防ぐことができる照明装置を提供することにある。
【００１５】
また、実施形態は、ソケットの損傷を防止することができる照明装置を提供することにある。
【課題を解決するための手段】
【００１６】
実施形態による照明装置は、穴を有する上面と収納溝を含む放熱体；前記放熱体上に配置された基板、前記基板上に配置された発光素子及び前記基板上に配置されたパッドを有する光源モジュール；前記放熱体の収納溝に配置され、前記光源モジュールの駆動のための電源信号が出力される突出部を有する電源提供部；及び前記放熱体の穴と結合し、前記光源モジュールのパッドと電気的に連結される接触部を含んで、前記電源提供部の突出部と電気的に連結されるコネクタ；を含む。
【００１７】
ここで、前記コネクタは、前記電源提供部の突出部が結合する溝と、前記溝に配置されて前記接触部と電気的に連結された連結部を有し、前記電源提供部の突出部は、前記電源信号が出力されて前記連結部と連結される電極板を有し得る。
【００１８】
ここで、前記光源モジュールは、第１基板、第１発光素子及び第１及び第２パッドを含む第１光源部；第２基板、第２発光素子及び第３及び第４パッドを含む第２光源部；前記第１光源部の第１パッドと前記第２光源部の第３パッドを電気的に連結する連結プレート；及び第１電源信号の提供を受けて前記第１光源部の第２パッドに電気的に連結される第１接触部と、第２電源信号の提供を受けて前記第２光源部の第４パッドに電気的に連結される第２接触部を有するコネクタ；を含み得る。
【００１９】
ここで、前記連結プレートは、中間部と、前記第１光源部の第１パッドと電気的に接触する第１接触部及び前記第２光源部の第３パッドと電気的に接触する第２接触部とを含み得る。
【００２０】
ここで、前記コネクタは、前記第１接触部と前記第２接触部を有する第１連結部材；及び前記第１接触部と電気的に連結された第１連結部と前記第２接触部と電気的に連結された第２連結部を有し、前記第１連結部材の一側に延びた第２連結部材；を含み得る。
【００２１】
ここで、前記光源モジュール上に配置され、前記放熱体と結合するカバー；をさらに含み、前記放熱体は、前記上面の外周に連結されたガイド部をさらに含み、前記カバーはフックを有し、前記放熱体のガイド部は前記フックと結合する係止片を有し、前記カバーは基準部材を有し、前記放熱体の上面は前記基準部材が結合する基準溝を有し得る。
【００２２】
ここで、前記カバーは、前記フックが一部分に配置される連結部材をさらに含み得る。
【００２３】
ここで、前記連結部材は前記カバーの端に複数で配置され、前記複数の連結部材は互いに離隔するように配置されることができる。
【００２４】
ここで、前記光源モジュール上に配置され、前記放熱体と結合するカバー；及び前記放熱体上に配置され、前記光源モジュールと前記コネクタが配置されるガイド溝を有する部材；をさらに含み、前記部材は前記カバーの内面から入射される光を前記カバーに反射すことができる。
【００２５】
ここで、前記放熱体は第１放熱フィンと第２放熱フィンを含み、前記第１放熱フィンの体積は前記第２放熱フィンの体積より大きくてもよい。
【００２６】
ここで、前記第１放熱フィンと前記第２放熱フィンは交互に複数で配置することができる。
【００２７】
ここで、前記第１放熱フィンと前記第２放熱フィンとの間の間隔は１ｍｍ以上３ｍｍ以下であり得る。
【００２８】
ここで、前記放熱体の収納溝に配置され、前記電源提供部とモールディング材を有するモールディング部が配置される内部ケース；をさらに含み、前記内部ケースは前記モールディング材が注入される開口と前記開口を塞ぐパッキングとを含み、前記電源提供部は前記内部ケースの開口を介してソケットと電気的に連結される電線を有し、前記パッキングは前記電線が配置されるギャップを有し得る。
【００２９】
ここで、前記ギャップは、前記パッキングの外周から前記パッキングの内部方向に掘られるか又は広げられて形成され、前記ギャップは、前記パッキングが前記内部ケースの開口に結合すれば、前記電線を固定することができる。
【００３０】
ここで、前記電源提供部を収納して、前記放熱体の収納溝に配置される内部ケース；及び前記内部ケースと結合して、ねじ溝を有するソケット；を含み、前記内部ケースは、前記ソケットのねじ溝と対応するねじ山を有し、前記ねじ山は、前記電源提供部と前記ソケットを電気的に連結する第１電線が配置される複数の溝を有し、前記複数の溝は一列に隣接するように配列することができる。
【００３１】
ここで、前記電源提供部を収納して、前記放熱体の収納溝に配置される内部ケース；及び前記内部ケースと結合するソケット；を含み、前記内部ケースは前記ソケットとの結合方向に突出した突出部を有し、前記内部ケースは前記ソケットと結合する一側に開口された開口と前記開口を塞ぐパッキングとを有し、前記内部ケースの突出部は前記パッキングの周囲に配置することができる。
【００３２】
ここで、前記電源提供部を収納して、前記放熱体の収納溝に配置される内部ケース；前記内部ケースとともに前記電源提供部をカバーするホルダー；をさらに含み、前記電源提供部は前記突出部と連結されたガイド部を含み、前記ホルダーは前記電源提供部の突出部が配置される溝と前記電源提供部のガイド部が結合するガイド溝を有し得る。
【００３３】
本発明の実施形態による照明装置は、上面と収納溝を有する放熱体；前記放熱体の収納溝に配置されて、電極板を有する突出部を含む電源提供部；前記放熱体の上に配置された光源モジュール；前記光源モジュールと電気的に連結される第１連結部材と、前記電源提供部と電気的に連結される第２連結部材を含むコネクタ；を含み、前記第２連結部材は前記電源提供部の突出部が結合する溝と、前記電極板と電気的に連結される連結部を有する。
【００３４】
ここで、前記連結部と前記電極板が接触すると、前記連結部は前記第２連結部材によって内側に押されて入り、前記連結部と前記電極板が分離すると、前記連結部は前記第2連結部材の溝に突出することができる。
【００３５】
ここで、前記放熱体上に配置され、前記光源モジュールと前記コネクタが配置されるガイド溝を有して、電気絶縁性を有する部材；をさらに含み、前記光源モジュールは、複数の光源部と、前記光源部を連結するための連結プレートをさらに含み、前記連結プレートは前記部材上に配置することができる。
【発明の効果】
【００３６】
実施形態による照明装置を使用すれば、カバーと放熱体の結合位置を容易に確認できるという利点がある。
【００３７】
また、カバーの回転を防ぐことができるという利点がある。
【００３８】
また、光効率を向上させることができるという利点がある。
【００３９】
また、複数の光源部間の電気的連結の際に、電線（ｗｉｒｅ）が必要ないという利点がある。したがって、照明装置の組み立て及び作業が容易であるという利点がある。
【００４０】
また、放熱効率を向上させることができるという利点がある。
【００４１】
また、金型又は塗装工程で有利であるという利点がある。
【００４２】
また、電源提供部と光源部との間に電線（ｗｉｒｅ）を使用しないという利点がある。
【００４３】
また、組み立てが容易であるという利点がある。
【００４４】
また、電源提供部を安定的に固定させることができ、モールディング液体が流れ出るのを防ぐことができるという利点がある。
【００４５】
また、電源提供部とソケットを連結する電線の損傷を防止することができるという利点がある。
【００４６】
また、電源提供部とソケットを連結する電線の移動を防ぐことができるという利点がある。
【００４７】
また、ソケットの損傷を防止することができるという利点がある。
【図面の簡単な説明】
【００４８】
【図１】実施形態による照明装置を上から見た斜視図である。
【図２】図１に示された照明装置を下から見た斜視図である。
【図３】図１に示された照明装置の分解斜視図である。
【図４】図３に示されたカバーの斜視図である。
【図５】図３に示された放熱体の斜視図である。
【図６】図３に示された光源モジュールの斜視図である。
【図７】図６に示されたコネクタを下から見た斜視図である。
【図８】図１に示された照明装置の断面図である。
【図９】図３に示された放熱体を下から見た斜視図である。
【図１０】図３に示されたホルダーと電源提供部を下から見た斜視図である。
【図１１】図３に示された光源モジュール、ホルダー及び電源供給部の結合構造を示す斜視図である。
【図１２】図３に示された内部ケースの斜視図である。
【図１３】図３に示された内部ケースを裏返した様子を示す斜視図である。
【図１４】図１３に示された内部ケースの分解斜視図である。
【図１５】図１４に示されたパッキングを裏返した様子を示す斜視図である。
【発明を実施するための形態】
【００４９】
図面において各層の厚さや大きさは、説明の便宜及び明確性のために誇張されるか、省略されるか、又は概略的に示された。また、各構成要素の大きさは、実際の大きさを全体的に反映するものではない。
【００５０】
また、本発明による実施形態の説明において、いずれか一つのエレメント（ｅｌｅｍｅｎｔ）が他のエレメントの「上又は下（ｏｎ ｏｒ ｕｎｄｅｒ）」に形成されるものと記載される場合において、上又は下（ｏｎ ｏｒ ｕｎｄｅｒ）は、二つのエレメントが互いに直接（ｄｉｒｅｃｔｌｙ）接触するか、又は一つ以上の別のエレメントが前記二つのエレメントの間に配置されて（ｉｎｄｉｒｅｃｔｌｙ）形成されることを全て含む。また、「上又は下（ｏｎ ｏｒ ｕｎｄｅｒ）」と表現される場合、一つのエレメントを基準として上側方向だけではなく下側方向の意味も含まれる。
【００５１】
以下、添付された図面を参照して本発明の実施形態による照明装置を説明する。
【００５２】
図１は、実施形態による照明装置を上から見た斜視図であり、図２は、図１に示された照明装置を下から見た斜視図であり、図３は、図１に示された照明装置の分解斜視図である。
【００５３】
図１ないし図３を参照すると、実施形態による照明装置は、カバー１００、光源モジュール２００、放熱体４００、電源提供部６００、内部ケース７００及びソケット８００を含み得る。また、実施形態による照明装置は、部材３００とホルダー５００の何れか一つ以上をさらに含み得る。
【００５４】
以下、添付された図面を参照して各構成要素を具体的に説明することにする。
【００５５】
カバー１００は、バルブ（ｂｕｌｂ）又は半球の形状を有し、中空であり、開口された一部分を有する。
【００５６】
カバー１００は、光源モジュール２００と光学的に結合する。具体的に、カバー１００は、光源モジュール２００から放出される光を拡散及び散乱することができ、前記光によって励起されて励起光を放出することができる。
【００５７】
カバー１００は放熱体４００と結合する。カバー１００は、放熱体４００と結合する結合部を有する。具体的に、カバー１００と放熱体４００の結合構造を、図４と図５を参照して説明することにする。
【００５８】
図４は、図３に示されたカバー１００の斜視図であり、図５は、図３に示された放熱体４００の斜視図である。
【００５９】
図４を参照すると、カバー１００は、放熱体４００との結合のための結合部１１０を有する。結合部１１０は、カバー１００の端に連結されるか、カバー１００の端から外部方向に突出されたものであり得る。ここで、カバー１００の端は、カバー１００の開口された一部分を定義することができる。
【００６０】
結合部１１０は、基準部材１１１、連結部材１１３及びフック１１５を含み得る。
【００６１】
基準部材１１１は、カバー１００の端に少なくとも一つ以上を配置することができる。
【００６２】
連結部材１１３は基準部材１１１と所定間隔離隔し、カバー１００の端に複数で配置することができる。ここで、複数の連結部材１１３は、互いに連結されず互いに離隔することができる。
【００６３】
フック１１５は連結部材１１３に配置される。具体的に、フック１１５は、連結部材１１３の外面に配置することができる。また、フック１１５は、連結部材１１３の外面から外側に突出したものであり得る。ここで、フック１１５は、連結部材１１３の外面の全体でない一部分に配置することができる。
【００６４】
図４に示されたカバー１００は、図５に示された放熱体４００と結合する。結合のための構造を説明すると、結合部１１０の基準部材１１１は、放熱体４００の基準溝４１５−１に挿入され、結合部１１０の連結部材１１３は、放熱体４００のガイド部４３０の係止片４３１と接触する。そして、結合部１１０のフック１１５は、放熱体４００のガイド部４３０の係止片４３１の下の空間に配置される。
【００６５】
カバー１００が基準部材１１１を有し、放熱体４００が基準溝４１５−１を有すれば、カバー１００と放熱体４００の結合時、両者の結合位置を容易に確認することができる。言い換えれば、カバー１００と放熱体４００の結合方向を素早く確認することができる。また、カバー１００が放熱体４００に結合した状態でカバー１００の動き、特に回転を防ぐことができる。
【００６６】
カバー１００の複数の連結部材１１３が互いに離隔して配置されれば、カバー１００と放熱体４００の結合時、複数の連結部材１１３は係止片４３１による張力を最大限吸収することができる。もし、複数の連結部材１１３が一つなら、係止片４３１による張力によって一つの連結部材は損傷する確率が高い。
【００６７】
カバー１００のフック１１５は、外力がない状態でカバー１００が放熱体４００から分離するのを防止する。ここで、フック１１５は、連結部材１１３の外面の一部分にのみ配置することができる。フック１１５が連結部材１１３の外面の一部分にのみ配置されれば、カバー１００と放熱体４００の結合時、フック１１５が連結部材１１３の外面全体に配置される場合より、係止片４３１による張力をさらに少なく受けることができる。
【００６８】
再び、図１ないし図３を参照すると、カバー１００の内面には乳白色の塗料をコーティングすることができる。乳白色の塗料は、光を拡散させる拡散材を含み得る。カバー１００の内面の表面粗さは、カバー１００の外面の表面粗さより大きい。これは、光源モジュール２００からの光が十分に散乱及び拡散されて外部に放出させるためである。
【００６９】
カバー１００は光拡散物質を含み得る。
【００７０】
カバー１００の材質は、ガラス（ｇｌａｓｓ）、プラスチック、ポリプロピレン（ＰＰ）、ポリエチレン（ＰＥ）、ポリカーボネート（ＰＣ）などであり得る。ここで、ポリカーボネートは、耐光性、耐熱性、強度が優れている。カバー１００は、外部から光源モジュール２００が見えるように透明であってもよく、不透明であってもよい。カバー１００はブロー（ｂｌｏｗ）成形を通じて形成することができる。
【００７１】
光源モジュール２００は光を放出し、放熱体４００に配置される。したがって、光源モジュール２００から発生する熱は、放熱体４００に直接伝導することができる。
【００７２】
光源モジュール２００は、光源部２１０、連結プレート２３０及びコネクタ２５０を含み得る。具体的に、図６を参照して説明することにする。
【００７３】
図６は、図３に示された光源モジュール２００の斜視図である。
【００７４】
図３及び図６を参照すると、光源モジュール２００は、第１ないし第３光源部２１０−１，２１０−２，２１０−３、第１及び第２連結プレート２３０−１，２３０−２及びコネクタ２５０を含み得る。
【００７５】
第１光源部２１０−１は、基板２１１−１、複数の発光素子２１３−１及びパッド２１５−１を含み得る。複数の発光素子２１３−１は、基板２１１−１の上に対称的に配置され、パッド２１５−１は、基板２１１−１の外廓部に複数で配置される。ここで、パッド２１５−１は、基板２１１−１の各角部に配置することができる。
【００７６】
基板２１１−１は、絶縁体に回路パターンが印刷されたものであってもよく、例えば、一般の印刷回路基板（ＰＣＢ：Ｐｒｉｎｔｅｄ Ｃｉｒｃｕｉｔ Ｂｏａｒｄ）、メタルコア（Ｍｅｔａｌ Ｃｏｒｅ）ＰＣＢ、フレキシブル（Ｆｌｅｘｉｂｌｅ）ＰＣＢ、セラミックＰＣＢなどを含めることができる。
【００７７】
基板２１１−１の表面は、光を効率的に反射する材質であるか光が効率的に反射するカラー、例えば、白色、銀色などでコーティングすることができる。
【００７８】
発光素子２１３−１は、赤色、緑色、青色の光を放出する発光ダイオード（Ｌｉｇｈｔｉｎｇ Ｅｍｉｔｔｉｎｇ Ｄｉｏｄｅ）チップ（ｃｈｉｐ）であるか紫外線光（Ｕｌｔｒａｖｉｏｌｅｔ ｌｉｇｈｔ）を放出する発光ダイオードチップであってもよい。ここで、発光ダイオードは、水平型（Ｌａｔｅｒａｌ Ｔｙｐｅ）又は垂直型（Ｖｅｒｔｉｃａｌ Ｔｙｐｅ）であってもよく、青色（Ｂｌｕｅ）、赤色（Ｒｅｄ）、黄色（Ｙｅｌｌｏｗ）又は緑色（Ｇｒｅｅｎ）を発散することができる。
【００７９】
発光素子２１３−１はレンズをさらに有し得る。レンズは発光素子２１３−１を覆うように配置することができる。このようなレンズは、発光素子２１３−１から放出する光の指向角や光の方向を調節することができる。レンズは半球タイプであって、空いた空間なしにシリコン樹脂又はエポキシ樹脂のような透光性樹脂であり得る。透光性樹脂は、全体的又は部分的に分散した蛍光体を含んでいてもよい。
【００８０】
発光素子２１３−１が青色発光ダイオードである場合、透光性樹脂に含まれた蛍光体は、ガーネット（Ｇａｒｎｅｔ）系（ＹＡＧ，ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系のうち少なくとも何れか一つ以上を含み得る。
【００８１】
透光性樹脂に黄色系列の蛍光体のみが含まれるようにして自然光（白色光）を具現することができるが、演色指数の向上と色温度の低減のために緑色系列の蛍光体や赤色系列の蛍光体をさらに含めることができる。
【００８２】
透光性樹脂に様々な種類の蛍光体が混合される場合、蛍光体の色相による添加の割合は、赤色系列の蛍光体よりは緑色系列の蛍光体を、緑色系列の蛍光体よりは黄色系列の蛍光体をさらに多く用いることができる。黄色系列の蛍光体としてはガーネット系のＹＡＧ、シリケート系、オキシナイトライド系を用い、緑色系列の蛍光体としてはシリケート系、オキシナイトライド系を用い、赤色系列の蛍光体はナイトライド系を用いることができる。透光性樹脂に様々な種類の蛍光体が混合されたもの以外にも、赤色系列の蛍光体を有する層、緑色系列の蛍光体を有する層、及び黄色系列の蛍光体を有する層をそれぞれ別個に分けて構成することができる。
【００８３】
パッド２１５−１は基板２１１−１の各角に配置することができる。パッド２１５−１は、基板２１１−１を介して発光素子２１３−１と電気的に連結される。パッド２１５−１に連結プレート２３０とコネクタ２５０が電気的に連結されれば、図３に示された電源提供部６００からの電源信号が発光素子２１３−１に伝達される。
【００８４】
第２及び第３光源部２１０−２，２１０−３は第１光源部２１０−１と同一なので、具体的な説明は省略することにする。
【００８５】
第１連結プレート２３０−１は、第１光源部２１０−１と第３光源部２１０−３を電気的に連結する。第１連結プレート２３０−１の一端は、第１光源部２１０−１のパッド２１５−１に電気的に連結され、他の一端は第３光源部２１０−３のパッドに電気的に連結される。第１連結プレート２３０−１により、第１光源部２１０−１と第３光源部２１０−３は直列に連結することができる。
【００８６】
第２連結プレート２３０−２は、第２光源部２１０−２と第３光源部２１０−３を電気的に連結する。第２連結プレート２３０−２の一端は第２光源部２１０−２のパッドに電気的に連結され、他の一端は第３光源部２１０−３のパッドに電気的に連結される。第２連結プレート２３０−２によって、第２光源部２１０−２と第３光源部２１０−３は直列に連結することができる。
【００８７】
第１及び第２連結プレート２３０−１，２３０−２は電気伝導性を有する物質を含む。それ自体が電気伝導性を有する物質、例えば金属材質であってもよい。
【００８８】
第１及び第２連結プレート２３０−１，２３０−２の中間部は、一方向に長く延びた板形状を有し得る。そして、光源部２１０のパッドと接触する両端に配置された接触部は、前記中間部から一方向に曲がった形状を有し得る。
【００８９】
コネクタ２５０は、図３に示された電源提供部６００から供給される電源信号を第１及び第２光源部２１０−１，２１０−２に伝達する。
【００９０】
コネクタ２５０は、第１連結部材２５１と第２連結部材２５３を含む。
【００９１】
第１連結部材２５１は、第１光源部２１０−１のパッド２１５−１と電気的に連結される第１接触部２５１−１と第２光源部２１０−２のパッドと電気的に連結される第２接触部２５１−２を含む。
【００９２】
第２連結部材２５３は、第１連結部材２５１の一面に連結又は一面から外部方向に突出した形状であり、図３に示された電源提供部６００と直接電気的に連結される。具体的に、図７を参照して説明することにする。
【００９３】
図７は、図６に示されたコネクタ２５０を下から見た斜視図である。
【００９４】
図６及び図７を参照すると、第２連結部材２５３は、第１溝２５３−１ａと第２溝２５３−１ｂを有し、第１連結部２５３−３ａと第２連結部２５３−３ｂを有する。
【００９５】
第１溝２５３−１ａと第２溝２５３−１ｂには、図３に示された電源提供部６００の突出部６１０が挿入される。第１連結部２５３−３ａと第２連結部２５３−３ｂは、図３に示された電源提供部６００の突出部６１０の電極板と物理的及び電気的に接触する。第１及び第２連結部２５３−３ａ，２５３−３ｂは、図３に示された電源提供部６００の突出部６１０の電極板と物理的及び電気的に接触すると、第２連結部材２５３によって内側に押されて入ることができる。一方、図３に示された電源提供部６００の突出部６１０の電極板が第１及び第２連結部２５３−３ａ，２５３−３ｂから分離すると、第１及び第２連結部２５３−３ａ，２５３−３ｂは第２連結部材２５３の内側から第１及び第２溝２５３−１ａ，２５３−１ｂに突出し得る。
【００９６】
第１連結部材２５１の第１接触部２５１−１と第２連結部材２５３の第１連結部２５３−３ａは電気的に連結され、第１連結部材２５１の第２接触部２５１−２と第２連結部材２５３の第２連結部２５３−３ｂは電気的に連結される。ここで、第１連結部材２５１の第１及び第２接触部２５１−１，２５１−２と第２連結部材２５３の第１及び第２連結部２５３−３ａ，２５３−３ｂは分離した構成でない、一つで成り立つことができる。すなわち、第１連結部材２５１の第１接触部２５１−１と第２連結部材２５３の第１連結部２５３−３ａは一体としてコネクタ２５０の内部に含めることができ、第１連結部材２５１の第２接触部２５１−２と第２連結部材２５３の第２連結部２５３−３ｂも一体としてコネクタ２５０の内部に含めることができる。
【００９７】
第１ないし第３光源部２１０−１，２１０−２，２１０−３のパッド２１５−１、第１及び第２連結プレート２３０−１，２３０−２及びコネクタ２５０によって、電源提供部６００からの電気的信号が第１ないし第３光源部２１０−１，２１０−２，２１０−３の発光素子２１３−１に伝達することができる。このように、実施形態による照明装置は、電源提供部６００から発光素子２１３−１に電気的信号を伝達する過程で電線（ｗｉｒｅ）を使用しない。したがって、電線による光損失を除去することができる。また、電線を使用しないため、実施形態による照明装置の組み立て過程が容易であり、はんだ付けなどのような作業が必要なく、作業効率が向上し得る。
【００９８】
一方、第３光源部２１０−３が無くても、光源モジュール２００を具現することができる。すなわち、第１及び第２光源部２１０−１，２１０−２と、一つの連結プレート２３０と、一つのコネクタ２５０でも光源モジュール２００を具現することができる。また、４以上の光源部２１０を用いて光源モジュール２００を具現することができる。この場合、連結プレート２３０の個数は光源部２１０の個数より１つ少ないだろう。
【００９９】
再び図３を参照して、部材３００を説明する。
【０１００】
部材３００は放熱体４００の上に配置され、複数の光源部２１０とコネクタ２５０が挿入されるガイド溝３１０を有する。
【０１０１】
ガイド溝３１０は、光源部２１０とコネクタ２５０の形状に対応する形状を有する。
【０１０２】
部材３００の表面は、光反射物質で塗布又はコーティングされたものであり得る。例えば、部材３００の表面は、白色の塗料で塗布又はコーティングされたものであってもよい。このような部材３００は、カバー１００の内面に反射されて光源モジュール２００側の方向に戻ってくる光を再びカバー１００の方向に反射することができる。したがって、実施形態による照明装置の光抽出効率を向上させることができる。
【０１０３】
部材３００は、電気絶縁性を有し得る。光源モジュール２００の連結プレート２３０は、電気伝導性の物質を含む。したがって、放熱体４００と連結プレート２３０との間に電気的な接触が成り立つことができる。部材３００は、放熱体４００と連結プレート２３０との間に配置され、絶縁物質で構成されて連結プレート２３０と放熱体４００との間の電気的短絡を遮断することができる。
【０１０４】
放熱体４００は、光源モジュール２００からの熱と電源提供部６００からの熱との伝達を受けて放熱することができる。図５，図８及び図９を参照して具体的に説明することにする。
【０１０５】
図５は、図３に示された放熱体の斜視図であり、図８は、図１に示された照明装置の断面図であり、図９は、図３に示された放熱体を下から見た斜視図である。
【０１０６】
図５，図８及び図９を参照すると、放熱体４００は、光源モジュール２００が配置される上面４１０、カバー１００をガイドするガイド部４３０、放熱効率を向上させるための放熱フィン４５０、電源提供部を収納する収納溝４７０及びガイド部材４９０を含み得る。
【０１０７】
上面４１０は、突出面４１１とベース面４１５を含み得る。
【０１０８】
突出面４１１は、ベース面４１５を基準として上に突出した面であって、ベース面４１５と所定の高さの差を有する。突出面４１１は、光源モジュール２００の光源部２１０が配置される安着溝４１１−１を有し得る。安着溝４１１−１は、光源部２１０の基板と対応する形状を有し得る。また、突出面４１１は、光源モジュール２００のコネクタ２５０が挿入される穴４１１−３を有する。
【０１０９】
ベース面４１５は、突出面４１１とガイド部４３０との間に配置される。ベース面４１５は、突出面４１１とガイド部４３０との間に形成される溝４１５−３の底面であり得る。溝４１５−３には図４に示されたカバー１００の結合部１１０が挿入される。
【０１１０】
ベース面４１５は、図４に示されたカバー１００の基準部材１１１が挿入される基準溝４１５−１を有する。基準溝４１５−１によって、カバー１００と放熱体４００の結合位置を確認することができる。
【０１１１】
ガイド部４３０は、ベース面４１５の外周に連結又は延びたものであり得る。ガイド部４３０は、図４に示されたカバー１００の結合部１１０をガイドする。ガイド部４３０は、図４に示されたカバー１００のフック１１５と結合する係止片４３１を有する。
【０１１２】
放熱フィン４５０は、放熱体４００の上面４１０と下面を除いた側面に連結されるか、もしくは、側面から外部方向に延びたものであり得る。放熱フィン４５０は、放熱体４００の放熱面積を広げて放熱効率を向上させることができる。
【０１１３】
放熱フィン４５０は、第１放熱フィン４５０ａと第２放熱フィン４５０ｂを含む。
【０１１４】
第１放熱フィン４５０ａの体積は、第２放熱フィン４５０ｂの体積より大きい。
【０１１５】
具体的に、第１放熱フィン４５０ａの厚さｄ２は、第２放熱フィン４５０ｂの厚さより厚く、第１放熱フィン４５０ａの高さｄ１は、第２放熱フィン４５０ｂの高さより高い。ここで、第１放熱フィン４５０ａの高さｄ１は、放熱体４００の側面から外部方向への長さを意味する。
【０１１６】
放熱体４００の側面において、第１放熱フィン４５０ａと第２放熱フィン４５０ｂは、放熱体４００の上面から下面方向に行くほど高さｄ１が減る。第１放熱フィン４５０ａの高さｄ１は７ｍｍ以上１２ｍｍ以下であり、第１放熱フィン４５０ａの厚さｄ２は１ｍｍ以上２ｍｍ以下であり得る。好ましくは、第１放熱フィン４５０ａの高さｄ１は１０ｍｍであり、第１放熱フィン４５０ａの厚さｄ２は１．５ｍｍであり得る。
【０１１７】
第１放熱フィン４５０ａの厚さｄ２は、図９に示されたように、放熱体４００の上面から下面方向に行くほど薄くなり得る。この場合、第１放熱フィン４５０ａで互いに向かい合う二つの側面は、放熱体４００の上面から下面方向に行くほど互いに近づく。ここで、第１放熱フィン４５０ａの二つの側面の間の角度は１度以上１．５度以下であり得る。好ましくは、第１放熱フィン４５０ａの二つの側面の間の角度は１．２度であり得る。第１放熱フィン４５０ａの厚さｄ２が放熱体４００の上面から下面方向に行くほど薄くなるか、もしくは、第１放熱フィン４５０ａの二つの側面の間の角度は１度以上１．５度以下ならば、放熱体４００の金型製作が容易であるという利点がある。
【０１１８】
第１放熱フィン４５０ａと第２放熱フィン４５０ｂは、互いに離隔して放熱体４００の側面に複数で配置される。第１放熱フィン４５０ａと第２放熱フィン４５０ｂは交互に放熱体４００の側面に配置される。すなわち、二つの第１放熱フィン４５０ａの間に第２放熱フィン４５０ｂが配置され、二つの第２放熱フィン４５０ｂの間に第１放熱フィン４５０ａが配置される。第１放熱フィン４５０ａと第２放熱フィン４５０ｂとの間の間隔は１ｍｍ以上３ｍｍ以下であり得る。ここで、第１放熱フィン４５０ａと第２放熱フィン４５０ｂとの間の間隔は２ｍｍであり得る。
【０１１９】
放熱体４００が第１放熱フィン４５０ａと第２放熱フィン４５０ｂを有すると、放熱体４００の製作工程のうち金型工程と塗装工程などで有利な利点と放熱効率を向上させることができる。もし、放熱体４００が第２放熱フィン４５０ｂを有さずに、第１放熱フィン４５０ａのみを有する場合、放熱体４００の製作時に金型と塗装が難しい。反面、放熱体４００が第２放熱フィン４５０ｂのみを有する場合には、放熱体４００の放熱面積が小さくなる。
【０１２０】
収納溝４７０は、放熱体４００の下面から上面４１０の方向に開いた形状を有する。収納溝４７０には、ホルダー５００、電源提供部６００及び内部ケース７００が収納される。
【０１２１】
ガイド部材４９０は、収納溝４７０を規定する放熱体４００の内面に配置される。ガイド部材４９０は、内部ケース７００が放熱体４００の収納溝４７０に収納される時、内部ケース７００の収納位置を決定する。したがって、組み立て作業の効率を向上させることができる。内部ケース７００は、ガイド部材４９０に対応するガイド溝を有する。ガイド溝は、図１２で具体的に説明することにする。
【０１２２】
再び図３を参照してホルダー５００を説明する。
【０１２３】
ホルダー５００は、内部ケース７００とともに電源提供部６００をカバーする。具体的に、図１０を共に参照して説明することにする。
【０１２４】
図１０は、図３に示されたホルダー５００と電源提供部６００を下から見た斜視図である。
【０１２５】
図３及び図１０を参照すると、ホルダー５００は、内部ケース７００の絶縁部７１０の収納溝７１９に配置される。したがって、内部ケース７００の絶縁部７１０に収納される電源提供部６００は密閉される。
【０１２６】
ホルダー５００は、ガイド突出部５１０を有する。ガイド突出部５１０は、電源提供部６００の突出部６１０が貫通する溝５１１を有する。
【０１２７】
ガイド突出部５１０は、図９に示された放熱体４００の収納溝４７０の底面に形成された溝（図示せず）に結合する。ここで、前記底面は、放熱体４００の上面と向かい合う面である。
【０１２８】
ホルダー５００は、内部ケース７００との結合のためのフック５３０を有し得る。フック５３０は複数であり得る。フック５３０によって、ホルダー５００は内部ケース７００に固定され得る。
【０１２９】
再び図３を参照して電源提供部６００を説明する。
【０１３０】
電源提供部６００は、外部から提供を受けた電気的信号を処理又は変換して光源モジュール２００に提供する。電源提供部６００は、内部ケース７００の収納溝７１９に収納され、ホルダー５００によって内部ケース７００の内部に密閉される。
【０１３１】
電源提供部６００は、突出部６１０、ガイド部６３０、ベース６５０及び延長部６７０を含めることができる。図１０及び図１１を参照して説明することにする。
【０１３２】
図１０は、図３に示されたホルダー５００と電源提供部６００を下から見た斜視図であり、図１１は、図３に示された光源モジュール２００、ホルダー５００及び電源提供部６００の結合構造を示す斜視図である。
【０１３３】
図１０及び図１１を参照すると、突出部６１０は、ガイド部６３０から外部に突出した形態を有する。突出部６１０は、ホルダー５００の溝５１１を貫通し、図６及び図７に示されたコネクタ２５０の第２連結部材２５３の第１溝２５３−１ａと第２溝２５３−１ｂに挿入される。突出部６１０は電極板６１１を有する。電極板６１１は、図６及び図７に示されたコネクタ２５０の第１連結部２５３−３ａと第２連結部２５３−３ｂと電気的に接触する。突出部６１０において、電極板６１１を除いた部分は絶縁物質であり得る。
【０１３４】
ガイド部６３０は、ベース６５０の一側から外部に突出した形状を有する。ガイド部６３０は、ホルダー５００のガイド溝５１３に挿入される。ガイド部６３０がガイド溝５１３に挿入されると、電源提供部６００とホルダー５００を安定的に結合させることができる。
【０１３５】
ベース６５０の一面上に多数の部品（図示せず）が配置される。多数の部品は、例えば、外部電源から提供される交流電源を直流電源に変換する直流変換装置、光源モジュール２００の駆動を制御する駆動チップ、光源モジュール２００を保護するためのＥＳＤ（ＥｌｅｃｔｒｏＳｔａｔｉｃ ｄｉｓｃｈａｒｇｅ）保護素子などを含めることができるが、これに限定はしない。
【０１３６】
延長部６７０は、ベース６５０の別の一側から外部に突出した形状を有する。延長部６７０は、内部ケース７００の連結部７５０の内部に挿入され、外部からの電気的信号の提供を受ける。したがって、延長部６７０は、内部ケース７００の連結部７５０の幅と同じか、より小さい。
【０１３７】
延長部６７０には、「＋電線」と「−電線（ｗｉｒｅ、図示せず）」の各一端が電気的に連結され、「＋電線」と「−電線」の他の一端はソケット８００に電気的に連結される。
【０１３８】
再び図３を参照して内部ケース７００を説明する。
【０１３９】
内部ケース７００は、内部に電源提供部６００を収納し、図９に示された放熱体４００の収納溝４７０に挿入される。このような内部ケース７００は、電源提供部６００と放熱体４００との間に配置され、前記二つの構成を互いに電気的に絶縁させる。
【０１４０】
内部ケース７００は、内部に電源提供部６００とともにモールディング部（図示せず）を含む。モールディング部（図示せず）は、モールディング液体が固まった部分であって、電源提供部６００が内部ケース７００の内部に固定されるようにする。
【０１４１】
内部ケース７００は、絶縁部７１０、支持部７３０、連結部７５０、パッキング７７０及び突出部７９０を含めることができる。具体的に、図１２、図１３及び図１４を参照して説明することにする。
【０１４２】
図１２は、図３に示された内部ケースの斜視図であり、図１３は、図３に示された内部ケースを裏返した様子を示す斜視図であり、図１４は、図１３に示された内部ケースの分解斜視図である。
【０１４３】
絶縁部７１０は円筒形状を有し、内部に電源提供部６００を収納するための収納溝７１９を有する。
【０１４４】
絶縁部７１０の内面は、図１１に示された電源提供部６００のベース６５０の両側部をガイドする溝７１１−１，７１１−２を有する。
【０１４５】
絶縁部７１０の外面は、図１０に示されたホルダー５００のフック５３０が挿入される溝７１３を有する。前記溝７１３の個数は、ホルダー５００のフック５３０の数に対応する。したがって、図面では前記溝７１３の個数が３つである。
【０１４６】
絶縁部７１０の外面は、図１０に示されたホルダー５００のフック５３０が掛かる係止片７１５を有する。係止片７１５は、絶縁部７１０の溝７１３の内部に配置される。
【０１４７】
絶縁部７１０の外面は、図９に示された放熱体４００のガイド部材４９０が挿入されるガイド溝７１７を有する。
【０１４８】
支持部７３０は、絶縁部７１０と連結部７５０との間に配置される。支持部７３０は、図９に示された放熱体４００の下面と相接する。
【０１４９】
連結部７５０は、図３に示されたソケット８００と連結される。連結部７５０は、ソケット８００のねじ溝と対応するねじ山７５１を有する。ねじ山７５１とソケット８００のねじ溝によって、ソケット８００と内部ケース７００は結合する。
【０１５０】
連結部７５０のねじ山７５１は、複数の溝７５１ａを有する。複数の溝７５１ａには、図１１に示された電源提供部６００の延長部６７０に一端が連結された「＋電線」が挿入される。このために、複数の溝７５１ａは、前記「＋電線」が挿入されるように一列に配置される。このように、連結部７５０が複数の溝７５１ａを有すると、内部ケース７００とソケット８００の結合時、ソケット８００の回転結合による「＋電線」の移動と損傷を防ぐことができる。
【０１５１】
連結部７５０は、モールディング液体が注入される開口７５３を有する。モールディング液体が硬化してモールディング部（図示せず）となる。モールディング部（図示せず）は、電源提供部６００を固定させる役割をする。
【０１５２】
パッキング７７０は、連結部７５０の開口７５３を塞ぐ。パッキング７７０は、ゴム又は合成樹脂のような柔軟性がある材質から成り立つことができる。パッキング７７０は、内部ケース７００の内部に電源提供部６００を収納し、内部ケース７００の内部をモールディング液体で満たした後、内部ケース７００の内部に満たされたモールディング液体が硬化してモールディング部（図示せず）になる時までモールディング液体が外部に漏れ出ないように塞ぐ。
【０１５３】
パッキング７７０はギャップ７７１を含む。図１５を共に参照して具体的に説明する。
【０１５４】
図１５は、図１４に示されたパッキング７７０を裏返した様子を示す斜視図である。
【０１５５】
ギャップ７７１は、パッキング７７０の外周の一部分からパッキング７７０の内部方向に深く掘られるか又は広げられた所定の隙間である。
【０１５６】
ギャップ７７１は、パッキング７７０が連結部７５０の開口７５３に挟まれる場合、その隙間が狭くなったり隙間がなくなる。
【０１５７】
このようなギャップ７７１には、図１１に示された電源提供部６００の延長部６７０に一端が連結された「−電線」が挿入される。前記「−電線」がギャップ７７１の隙間に挿入され、パッキング７７０が連結部７５０の開口７５３に挟まれると、ギャップ７７１の隙間は狭くなって「−電線」を圧迫して強固に固定させる。したがって、ギャップ７７１の隙間には、内部ケース７００の内部に満たされたモールディング液体が漏れ出すことができない。
【０１５８】
図１３及び図１４を参照すると、突出部７９０は、連結部７５０に連結又は外部に突出した形状を有する。具体的に、突出部７９０は、図３に示されたソケット８００との結合方向に突出する。このような突出部７９０は、連結部７５０の開口７５３周囲に配置することができる。これは、連結部７５０にソケット８００が結合する時、ソケット８００で最も多く損傷する部分であるためだ。
【０１５９】
突出部７９０が、図１３に示されたように、パッキング７７０よりさらに高く形成される。このような突出部７９０は、連結部７５０に、図３に示されたソケット８００を固定させる工程において、ソケット８００の損傷、例えば、ソケット８００がつぶれることを防ぐことができる。
【０１６０】
再び図３を参照してソケット８００を説明する。
【０１６１】
ソケット８００は、内部ケース７００の連結部７５０に連結される。ソケット８００は、従来の白熱電球のような構造を有してもよい。ソケット８００を介して外部電源が実施形態による照明装置に伝達される。ソケット８００は、連結部７５０のねじ山と対応するねじ溝を有する。
【０１６２】
以下では、図３を参照して、実施形態による照明装置の組み立て工程を説明することにする。
【０１６３】
光源モジュール２００を組み立てる。三つの光源部２１０と二つの連結プレート２３０及びコネクタ２５０を用いて光源モジュール２００を組み立てる。
【０１６４】
内部ケース７００の絶縁部７１０の収納溝７１９に電源提供部６００を挿入する。この時、電源提供部６００の「＋電線」と「−電線」が内部ケース７００の連結部７５０の開口に抜け出るように組み立てる。内部ケース７００の絶縁部７１０の収納溝７１９を塞ぐため、ホルダー５００を内部ケース７００に結合させる。
【０１６５】
内部ケース７００の内部にモールディング液体を注入し、図１３に示されたように、パッキング７７０で連結部７５０の開口７５３を塞ぐ。この時、「−電線」は、パッキング７７０のギャップ７７１に挿入する。「＋電線」は、連結部７５０の複数の溝７５１ａに挟む。
【０１６６】
ソケット８００を内部ケース７００の連結部７５０と結合させ、内部ケース７００を図９に示された放熱体４００の収納溝４７０に挿入する。ここで、放熱体４００のガイド部材４９０に、図１２に示された内部ケース７００のガイド溝７１７を挟むようにする。
【０１６７】
放熱体４００に部材３００を配置させ、部材３００のガイド溝３１０に合わせ、予め組み立てられた光源モジュール２００を配置させる。この時、コネクタ２５０に電源提供部６００の突出部６１０が挿入されるようにして、光源モジュール２００の穴ｈ２と放熱体４００の穴ｈ２’に結合されるねじのような締結手段を用いて、放熱体４００に光源モジュール２００を固定させる。
【０１６８】
電源提供部６００の突出部６１０を放熱体４００の穴４１１−３に挿入させ、突出部６１０とコネクタ２５０を電気的及び物理的に結合させる。
【０１６９】
部材３００の穴ｈ１と放熱体４００の穴ｈ１’、ホルダー５００の穴ｈ１’’及び内部ケース７００の穴ｈ１’’’に結合されるねじのような締結手段を用いて、部材３００、放熱体４００、ホルダー５００及び内部ケース７００を固定させる。
【０１７０】
最後に、カバー１００を放熱体４００と結合させる。
【０１７１】
実施形態による照明装置は、構造的に従来の配列電球を代替できる構造で成り立っているため、新しい照明装置に伴う機構的な連結構造やアセンブリーの改善なしに、従来の配列電球のための設備を利用できるという長所がある。
【０１７２】
以上において実施形態を中心に説明したが、これは単に例示であるだけであって、本発明を限定する訳ではなく、本発明が属する分野における通常の知識を有する者であれば、本実施形態の本質的な特性を外れない範囲で、以上において例示されない様々な変形と応用が可能であることが分かるはずである。例えば、実施形態に具体的に示された各構成要素は、変形して実施することができる。そして、このような変形と応用に係る相違点は、添付の特許請求の範囲において規定する本発明の範囲に含まれるものと解釈されるべきである。
【図１】
2014523086.tif 000003
【図２】
2014523086.tif 000004
【図３】
2014523086.tif 000005
【図４】
2014523086.tif 000006
【図５】
2014523086.tif 000007
【図６】
2014523086.tif 000008
【図７】
2014523086.tif 000009
【図８】
2014523086.tif 000010
【図９】
2014523086.tif 000011
【図１０】
2014523086.tif 000012
【図１１】
2014523086.tif 000013
【図１２】
2014523086.tif 000014
【図１３】
2014523086.tif 000015
【図１４】
2014523086.tif 000016
【図１５】
2014523086.tif 000017
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
穴を有する上面と収納溝を含む放熱体；
前記放熱体上に配置された基板、前記基板上に配置された発光素子及び前記基板上に配置されたパッドを有する光源モジュール；
前記放熱体の収納溝に配置され、前記光源モジュールの駆動のための電源信号が出力される突出部を有する電源提供部；及び
前記放熱体の穴と結合し、前記光源モジュールのパッドと電気的に連結される接触部を含んで、前記電源提供部の突出部と電気的に連結されるコネクタ；
を含み、
前記光源モジュールは、
第１基板、第１発光素子及び第１及び第２パッドを含む第１光源部；
第２基板、第２発光素子及び第３及び第４パッドを含む第２光源部；
前記第１光源部の第１パッドと前記第２光源部の第３パッドを電気的に連結する連結プレート；及び
第１電源信号の提供を受けて前記第１光源部の第２パッドに電気的に連結される第１接触部と、第２電源信号の提供を受けて前記第２光源部の第４パッドに電気的に連結される第２接触部を有するコネクタ；
を含む、照明装置。
【請求項２】
前記コネクタは、前記電源提供部の突出部が結合する溝と、前記溝に配置されて前記接触部と電気的に連結された連結部を有し、
前記電源提供部の突出部は、前記電源信号が出力されて前記連結部と連結される電極板を有する、請求項１に記載の照明装置。
【請求項３】
前記連結部と前記電極板が接触すると、前記連結部は前記第２連結部材によって内側に押されて入り、
前記連結部と前記電極板が分離すると、前記連結部は前記第２連結部材の溝に突出する、請求項２に記載の照明装置。
【請求項４】
前記連結プレートは、中間部と前記第１光源部の第１パッドと電気的に接触する第１接触部及び前記第２光源部の第３パッドと電気的に接触する第２接触部とを含む、請求項１から３のいずれか１項に記載の照明装置。
【請求項５】
前記光源モジュール上に配置され、前記放熱体と結合するカバー；をさらに含み、
前記放熱体は、前記上面の外周に連結されたガイド部をさらに含み、
前記カバーはフックを有し、前記放熱体のガイド部は前記フックと結合する係止片を有し、
前記カバーは基準部材を有し、前記放熱体の上面は前記基準部材が結合する基準溝を有する、請求項１から４のいずれか１項に記載の照明装置。
【請求項６】
前記カバーは、前記フックが一部分に配置される連結部材をさらに含む、請求項５に記載の照明装置。
【請求項７】
前記連結部材は、前記カバーの端に複数で配置され、前記複数の連結部材は互いに離隔するように配置された、請求項６に記載の照明装置。
【請求項８】
前記光源モジュール上に配置され、前記放熱体と結合するカバー；及び
前記放熱体上に配置され、前記光源モジュールと前記コネクターが配置されるガイド溝を有する部材；をさらに含み、
前記部材は、前記カバーの内面から入射される光を前記カバーで反射する、請求項１から４のいずれか１項に記載の照明装置。
【請求項９】
前記放熱体の収納溝に配置され、前記電源提供部とモールディング材を有するモールディング部が配置される内部ケース；をさらに含み、
前記内部ケースは、前記モールディング材が注入される開口と前記開口を塞ぐパッキングとを含み、
前記電源提供部は、前記内部ケースの開口を介してソケットと電気的に連結される電線を有し、
前記パッキングは、前記電線が配置されるギャップを有する、請求項１から８のいずれか１項に記載の照明装置。
【請求項１０】
前記ギャップは、前記パッキングの外周から前記パッキングの内部方向に掘られるか又は広げられて形成され、
前記ギャップは、前記パッキングが前記内部ケースの開口に結合すれば、前記電線を固定する、請求項９に記載の照明装置。
【請求項１１】
前記電源提供部を収納し、前記放熱体の収納溝に配置される内部ケース；及び
前記内部ケースと結合して、ねじ溝を有するソケット；を含み、
前記内部ケースは、前記ソケットのねじ溝と対応するねじ山を有し、
前記ねじ山は、前記電源提供部と前記ソケットを電気的に連結する第１電線が配置される複数の溝を有し、
前記複数の溝は、一列で隣接するように配列された、請求項１から８のいずれか１項に記載の照明装置。
【請求項１２】
前記電源提供部を収納し、前記放熱体の収納溝に配置される内部ケースと、
前記内部ケースと結合するソケット；を含み、
前記内部ケースは、前記ソケットとの結合方向に突出した突出部を有し、
前記内部ケースは、前記ソケットと結合し、一側に開口された開口と前記開口を塞ぐパッキングとを有し、
前記内部ケースの突出部は、前記パッキングの周囲に配置された、請求項１から８のいずれか１項に記載の照明装置。
【請求項１３】
前記電源提供部を収納し、前記放熱体の収納溝に配置される内部ケースと、
前記内部ケースとともに前記電源提供部をカバーするホルダー；をさらに含み、
前記電源提供部は、前記突出部と連結されたガイド部を含み、
前記ホルダーは、前記電源提供部の突出部が配置される溝と前記電源提供部のガイド部が結合するガイド溝とを有する、請求項１から８のいずれか１項に記載の照明装置。
【請求項１４】
前記放熱体は、第１放熱フィンと第２放熱フィンを含み、
前記第１放熱フィンの体積は、前記第２放熱フィンの体積より大きい、請求項１から１３のいずれか１項に記載の照明装置。
【請求項１５】
前記第１放熱フィンと前記第２放熱フィンは、交互に複数で配置された、請求項１４に記載の照明装置。
【請求項１６】
前記第１放熱フィンと前記第２放熱フィンとの間の間隔は、１ｍｍ以上３ｍｍ以下である、請求項１４又は１５に記載の照明装置。
【請求項１７】
前記コネクターは、
前記第１接触部と前記第２接触部を有する第１連結部材；及び
前記第１接触部と電気的に連結された第１連結部と前記第２接触部と電気的に連結された第２連結部を有し、前記第１連結部材の一側に延びた第２連結部材；
を含む、請求項１から１６のいずれか１項に記載の照明装置。
【国際調査報告】
2014523086.tif 000018
2014523086.tif 000019